(57)【要約】      （修正有）【課題】振動マッサージと押圧マッサージが行え、マッサージ器表面が人体の筋肉の形状に適する伸縮振動マッサージ器を提供する。【解決手段】上ハウジング１と下ハウジング２とゴムカバー３とを備える伸縮振動マッサージ器であり、上ハウジング１と下ハウジング２とがゴムカバー３で包み込まれて接続され、かつ上ハウジング１の頂部にハンドル４が設ける。ハンドル４は上ハンドル５と下ハンドル６に分かれ、ハンドル４頂部にプッシュスイッチ９が設けられ、ハンドル４側面に充電口８が設けられ、そのハンドル４に電池７が固定的に取り付けられる。電池７はリード線を介して充電口８とプッシュスイッチ９をそれぞれ電気的に接続する。下ハウジング２の内部には、電機上ハウジング１１と電機下板１２が取り付けられる。その電機上ハウジング１１と電機下板１２との間には、機器を駆動するための駆動機構１３が設けられる。【選択図】図２
0003228963.tif 000002
【実用新案登録請求の範囲】
【請求項１】
上ハウジング（1）とゴムカバー（3）を含み、前記上ハウジング（1）と下ハウジング
（2）とがゴムカバー（3）で包み込まれて連結され、上ハウジング（1）の頂部にハンド
ル(4)を設け、ハンドル(4)は上ハンドル(5)と下ハンドル(6)に分かれ、ハンドル(4)の頂
部にプッシュスイッチ(9)を設け、ハンドル(4)の側面に充電口(8)を設け、そのハンドル(
4)に電池(7)を固定的に取り付け、電池(7)がリード線を介して充電口(8)とプッシュスイ
ッチ(9)とをそれぞれ電気的に接続し、前記下ハウジング(2)内に電機上ハウジング(11)と
電機下板(12)を取り付け、電機上ハウジング(11)と電機下板(12)との間に機器を駆動する
ための駆動機構(13)が設け、前記電機上ハウジング(11)の一端にはリミッター(15)を設け
、前記上ハウジング(1)の内部には連結柱(14)を設けることを特徴とする伸縮振動マッサ
ージ器。
【請求項２】
前記駆動機構(13)は、電機(1301)、縦歯車(1302)、横歯車(1303)、スリーブ(1304)、ブロ
ック(1305)、シャフト(1306)、ブッシュ(1307)、モータ(1308)および偏心ギヤ(1309)を含
み、前記電機(1301)が電機上ハウジング(11)と電機下板(12)との間に係合するとともに、
電機(1301)の出力軸に縦歯車(1302)を取り付け、縦歯車(1302)が横歯車(1302)に噛み合う
ことを特徴とする請求項1に記載の伸縮振動マッサージ器。
【請求項３】
前記横歯車(1303)の上端にスリーブ(1304)を設け、横歯車(1303)の下端面にブロック(130
5)を設け、ブロック(1305)にはブッシュ(1307)をはめ込み、ブッシュ(1307)は2組設けら
れ、シャフト(1306)の両端にそれぞれ固定されることを特徴とする請求項2に記載の伸縮
振動マッサージ器。
【請求項４】
前記スリーブ(1304)の上端がリミッター(15)にはみ込まれ、前記シャフト(1306)の他端の
ブッシュ(1307)が連結柱(14)内にはみ込まれることを特徴とする請求項3に記載の伸縮振
動マッサージ器。
【請求項５】
前記電機下板(12)の下端にモータ(1308)が係合し、モータ(1308)の出力軸に偏心ギヤ(130
9)が取り付けられ、偏心輪(1309)が最上端まで回転すると電機下板(12)に接触することを
特徴とする請求項2に記載の伸縮振動マッサージ器
【請求項６】
前記プッシュスイッチ(9)は、無結線状態、電機(1301)結線状態及びモータ(1308)結線状
態の3段階に分けて設けられることを特徴とする請求項1記載の伸縮振動マッサージ器。
【考案の詳細な説明】
【技術分野】
【０００１】
本実用新案は、マッサージ器の技術分野に関し、具体的には伸縮振動マッサージ器に関す
る。
【背景技術】
【０００２】
マッサージ器は物理学、バイオニクス、生物電気、中医学及び長年の臨床実践に基づいて
開発された次世代保健器材である。それは8つのシミュレーション機能を持っているだけ
でなく、鍼灸、中医マッサージ、マッサージ、叩き、カッピング、カッサ、痩身、免疫調
節の8つの機能の良い感覚を実感させるだけでなく、高血圧を治療する独特の効果もある
。いくつかの独立したソフトマッサージヘッドで筋肉を緩め、神経を緩め、血液循環を促
進し、細胞の新陳代謝を強化し、皮膚の弾力性を増強し、疲労を緩和し、各種慢性痛、急
性痛みと筋肉痛を明らかに軽減し、体のストレスを軽減し、皮膚のしわを減らすことがで
きる。
【０００３】
従来、マッサージ部分の側壁を介して軸線方向に沿って同距離で環状凹溝を開設し、ゴム
マッサージ体の側壁週方向にマッサージヘッドを均一に配置して筋肉をマッサージする申
請番号CN201420599051.6の伸縮振動マッサージ器が開示されるが、このマッサージ器は自
動的に筋肉を叩く作業ができず、マッサージ器表面が人体筋肉の形状に適さない。現在、
上ハウジングと下ハウジング内に設置された振動電機と伸縮電機によって筋肉に振動マッ
サージと叩き動作を行い、使いやすくする伸縮振動マッサージ器設計する。
【考案の概要】
【考案が解決しようとする課題】
【０００４】
本実用新案の目的は、上記背景技術で提案する従来の伸縮振動マッサージ機では自動的に
筋肉を叩くことができず、マッサージ機表面が人体の筋肉の形状に適すという問題を解決
する伸縮振動マッサージ機を提供することである。
【課題を解決するための手段】
【０００５】
上記目的を達成するために、本実用新案は、上ハウジングとゴムカバーとを備え、前記上
ハウジングと下ハウジングとがゴムカバーで包み込まれて接続され、かつ上ハウジングの
頂部にハンドルが設け、ハンドルは上ハンドルと下ハンドルに分かれ、ハンドル頂部にプ
ッシュスイッチが設けられ、ハンドル側面に充電口が設けられ、そのハンドルに電池が固
定的に取り付けられ、電池はリード線を介して充電口とプッシュスイッチをそれぞれ電気
的に接続し、下ハウジングの内部には、電機上ハウジングと電機下板が取り付け、その電
機上ハウジングと電機下板との間には、機器を駆動するための駆動機構が設け、前記電機
上ハウジングの一端にはリミッターを設け、前記上ハウジングの内部には連結柱を設け、
連結柱とシャフトとが貫通連結することを特徴とする伸縮振動マッサージ器を公開する。
【０００６】
前記駆動機構は、電機、縦歯車、横歯車、スリーブ、ブロック、シャフト、ブッシュ、モ
ータ及び偏心ギヤを含み、前記電機は、電機上ハウジングと電機下板との間に係合し、電
機の出力軸に縦歯車が取り付けられ、縦歯車が横に歯車噛み合うことが好ましい。
【０００７】
前記横歯車の上端にスリーブが設けられ、横歯車の下端面にブロックが設けられ、ブロッ
クにブッシュが装着され、ブッシュが2組設けられ、シャフトの両端にそれぞれ固定され
ることが好ましい。
【０００８】
前記スリーブの上端がリミッターにはみ込まれ、前記シャフトの他端のブッシュが連結柱
内にはみ込まれることが好ましい。
【０００９】
前記電機下板の下端にモータが係合し、モータの出力軸に偏心ギヤが取り付けられ、偏心
輪が最上端まで回転すると電機下板に接触することが好ましい。
【００１０】
前記プッシュスイッチは、無結線状態、電機結線状態、モータ結線状態の3段階設けられ
ることが好ましい。
【考案の効果】
【００１１】
本実用新案は、従来技術に比べると、伸縮振動マッサージ器の下ハウジング内に設けられ
たモータで下ハウジングへの振動を実現し、下ハウジングをマッサージが必要な筋肉部分
に当てることで筋肉へのマッサージを実現するという効果がある。また、下ハウジング内
に設置された電機で下ハウジングを操作して接触する筋肉を伸縮押圧することで、筋肉を
マッサージすることもできる。
【図面の簡単な説明】
【００１２】
【図１】本実用新案の伸縮振動マッサージ器の外部構造図である。
【図２】本実用新案の伸縮振動マッサージ器の内部分解構造図である。
【図３】本実用新案の伸縮振動マッサージ器の駆動機構構造図である。
【図４】本実用新案の伸縮振動マッサージ器の駆動機構底部構造図である。
【００１３】
［符号の説明］
図中:1、上ハウジング、2、下ハウジング、3、ゴムジャケット、4、ハンドル、5、上ハン
ドル、6、下ハンドル、7、電池、8、充電口、9、プッシュスイッチ、10、下板、11、電機
上ハウジング、12、電機下板、13、駆動機構、1301、電機、1302、縦歯車、1303、横歯車
、1304、スリーブ、1305、ブロック、1306、シャフト、1307、ブッシュ、1308、モーター
、1309、偏心ギヤ、14、連結柱、15、リミッター。
【考案を実施するための形態】
【００１４】
以下、本実用新案の実施例における技術的手段について、本実用新案の実施例における図
面を参照しながら明確かつ完全に説明する。説明する実施例は、本実用新案の一部の実施
例のみであり、全ての実施例ではないことは明らかである。本実用新案における実施例に
基づき、当業者が創造的な労働をしないで獲得した他の実施例はすべて、本実用新案の保
護の範囲に属する。
【００１５】
図1~図4を参照して、本実用新案は、上ハウジング1を備え、上ハウジング1と下ハウジン
グ2とがゴムカバー3で包み込まれて連結し、上ハウジング1の頂部にハンドル4が設けられ
、ハンドル4が上ハンドル5と下ハンドル6とに分かれ、ハンドル4の頂部にプッシュスイッ
チ9が設けられ、シュスイッチ9がそれぞれ無結線状態、電機1301結線状態及びモータ1308
結線状態の3段階に分けて設けられ、必要に応じる異なるマッサージ方式を選択すること
ができ、ハンドル4の側面に充電口8を設け、ハンドル4に電池7を固定装着し、電池7はリ
ード線を介して充電口8とプッシュスイッチ9をそれぞれ電気的に接続し、プッシュスイッ
チ9は、多段プッシュスイッチの従来公開文献CN201720794401.8を引用し、下ハウジング2
内に電機上ハウジング11と電機下板12を取り付け、電機上ハウジング11と電機下板12との
間に機器を駆動するための駆動機構13が設け、駆動機構13は、電機1301、縦歯車1302、横
歯車1303、スリーブ1304、ブロック1305、シャフト1306、ブッシュ1307、モータ1308、偏
心ギヤ1309をふくみ、電機1301が電機上ハウジング11と電機下板12との間に係合し、電機
下板12の下端にモータ1308が係合し、モータ1308の出力軸に偏心ギヤ1309が取り付けられ
、偏心ギヤ1309が最上端まで回転すると電機下板12に接触し、モータ1308によって偏心ギ
ヤ1309を動かし、モータ1301の出力軸に縦歯車1302が取り付け、縦歯車1302が横歯車と係
合し、このように電機1301の回転により、縦歯車1302と横歯車1303を同時に動かすことが
でき、横歯車1303の上端にスリーブ1304が設けられ、横歯車1303の下端面にブロック1305
が設けられ、ブロック1305にブッシュ1307が装着され、ブッシュ1307が2組設けらてシャ
フト1306の両端にそれぞれ固定され、ブロック1305とブッシュ1307によって横歯車1303の
正常な動きが保証し、駆動機構13を連結する連結柱14を上ハウジング1内に設ける、駆動
機構13を係合するリミッター15を電機上ハウジング11に設け、スリーブ1304の上端をリミ
ッター15に嵌め、シャフト1306の他端のブッシュ1307を連結柱14内に嵌めて、これにより
、リミッター15が、電機1301上のアセンブリに対するリミットとして機能することを特徴
とする伸縮振動マッサージ器を提案する。
【００１６】
動作原理:この伸縮振動マッサージ器を使用するには、まず充電口8を介して対応する電源
充電器を挿入して電池7を充電し、必要に応じてプッシュスイッチ9を押して対応する電流
を選択する。振動マッサージの必要に応じてプッシュスイッチ9を一回押してモータ1308
と電池7の電流を投入することでモータ1308を作動させる。その出力軸を介して連結する
偏心ギヤ1309を回転させ、偏心ギヤ1309が最上段まで回転するときに電機下板12に接触し
て沖撃を与えることで下ハウジング2を振動する。このとき下ハウジング2を振動マッサー
ジが必要な筋肉部分に置いて振動マッサージを実現することができる。筋肉を押圧マッサ
ージする必要があれば、再度プッシュスイッチ9を押して、電機1301と電池7の電流を入れ
てモーター1301を作動させる。電機1301が作動してその出力軸に取り付けられた縦歯車13
02を回転させ、縦歯車1302が横歯車1303を回転噛み合わせて横歯車1302下端のブロック13
05を回転させる。ブロック1305は回転してブロック1305に嵌め込まれたスリーブ1304と一
体構造のシャフト1306を円運動させ、シャフト1306の他端のスリーブ1304は上ハウジング
1の連結柱14に嵌め込まれ、ゴムカバー3の蛇腹伸縮に合わせて上ハウジング1が動かず、
下ハウジング2が連結柱14を中心とした伸縮運動を実現し、下ケース2を押圧マッサージが
必要な筋肉部分に当接させ、筋肉に対する押圧マッサージを実現する。以上は本伸縮振動
マッサージ器の作動過程である。
【００１７】
本実用新案については、前記実施例を参照して詳細に説明するが、当業者にとっては、前
記各実施例に記載する技術案を修正したり、その一部の技術的特徴を同等に置き換えるこ
とができる。本実用新案の精神と原則の範囲内で行った修正、同等の置き換え、改良等は
、本実用新案の保護範囲に含むべきである。
【図１】
0003228963.tif 000003
【図２】
0003228963.tif 000004
【図３】
0003228963.tif 000005
【図４】
0003228963.tif 000006